(57)【要約】【課題】簡易な構成でユーザの脳波信号を検出し、検出結果に応じて情報処理装置を動作させる。【解決手段】本発明の情報処理装置は、情報処理装置がユーザの頭部に装着された状態で、ユーザの前頭葉に対応するユーザの頭部上の位置に接する第１の電極と、ユーザの後頭葉に対応するユーザの頭部上の位置に接する第２の電極と、ユーザの耳の下部に接する第３の電極と、を有し、脳波信号と情報処理装置の処理内容とを対応付けて記憶し、記憶している脳波信号の中から、第１の電極と第３の電極との電位差、および、第２の電極と第３の電極との電位差に基づいて検出したユーザの脳波信号に対応して記憶している処理内容を実行する。【選択図】図１
2013122710.tif 000002
【特許請求の範囲】
【請求項１】
ユーザの頭部に装着される情報処理装置であって、
前記情報処理装置が前記ユーザの頭部に装着された状態で前記ユーザの前頭葉に対応する前記ユーザの頭部上の位置に接する第１の電極と、
前記情報処理装置が前記ユーザの頭部に装着された状態で前記ユーザの後頭葉に対応する前記ユーザの頭部上の位置に接する第２の電極と、
前記情報処理装置が前記ユーザの頭部に装着された状態で前記ユーザの耳の下部に接する第３の電極と、
前記ユーザの脳波信号と前記情報処理装置の処理内容とを対応付けて記憶する脳波データ記憶部と、
前記第１の電極と前記第３の電極との電位差、および、前記第２の電極と前記第３の電極との電位差に基づいて前記ユーザの脳波信号を検出し、検出結果を出力する脳波検出部と、
前記脳波データ記憶部に記憶されている脳波信号の中から、前記脳波検出部の出力に示される脳波信号と同様の特性を有する脳波信号を抽出し、該抽出した脳波信号に対応して記憶されている処理内容を実行する制御部と、を有することを特徴とする情報処理装置。
【請求項２】
請求項１記載の情報処理装置において、
前記脳波データ記憶部は、所望する前記情報処理装置の処理内容を前記ユーザが想起した際に現れる脳波信号である希望想起脳波信号と前記処理内容とを対応付けて記憶することを特徴とする情報処理装置。
【請求項３】
請求項１または２記載の情報処理装置において、
前記脳波データ記憶部は、特定の感情を前記ユーザが想起した際に現れる脳波信号である感情想起脳波信号と前記感情に対応した前記情報処理装置の処理内容とを対応付けて記憶することを特徴とする情報処理装置。
【請求項４】
請求項１から３のいずれか１項に記載の情報処理装置において、
前記制御部は、前記脳波検出部の出力に示される脳波信号に応じて前記抽出した脳波信号を補正して前記脳波データ記憶部に記憶させることを特徴とする情報処理装置。
【請求項５】
請求項１から４のいずれか１項に記載の情報処理装置において、
本体筐体部と、
前記本体筐体部に取り付けられ、前記ユーザの耳の付け根に掛けられることで前記本体筐体部を支持し、前記ユーザの耳の下部に対応する位置に前記第３の電極が配置されたイヤークリップ部と、
一端が前記本体筐体部に接続され、他端が前記第１の電極に接続され、前記第１の電極を支持する第１のフレーム筐体部と、
一端が前記本体筐体部に接続され、他端が前記第２の電極に接続され、前記第２の電極を支持する第２のフレーム筐体部と、を有することを特徴とする情報処理装置。
【請求項６】
請求項５記載の情報処理装置において、
前記第１のフレーム筐体部は、前記第１の電極が前記ユーザの頭部に向かって押し付けられる方向に作用する力を前記第１の電極に印加し、
前記第２のフレーム筐体部は、前記第２の電極が前記ユーザの頭部に向かって押し付けられる方向に作用する力を前記第２の電極に印加することを特徴とする情報処理装置。
【請求項７】
請求項１から６のいずれか１項に記載の情報処理装置において、
前記情報処理装置が前記ユーザの頭部に装着された状態で、前記ユーザの目の近傍に配置される表示部をさらに有し、
前記制御部は、実行した処理結果を前記表示部に表示させることを特徴とする情報処理装置。
【請求項８】
請求項７記載の情報処理装置において、
前記脳波検出部は、前記表示部への所定の表示情報の表示に応じて、前記ユーザの脳波信号を計測することを特徴とする情報処理装置。
【請求項９】
ユーザの頭部に装着される情報処理装置の制御方法であって、
前記ユーザの脳波信号と前記情報処理装置の処理内容とを対応付けて記憶し、
前記ユーザの前頭葉に対応する前記ユーザの頭部上の位置に接する第１の電極と前記ユーザの耳の下部に接する第３の電極との電位差、および、前記ユーザの後頭葉に対応する前記ユーザの頭部上の位置に接する第２の電極と前記第３の電極との電位差に基づいて前記ユーザの脳波信号を検出し、
前記記憶している脳波信号の中から、前記検出した脳波信号と同様の特性を有する脳波信号を抽出し、該抽出した脳波信号に対応して記憶している処理内容を実行することを特徴とする情報処理装置の制御方法。
【請求項１０】
コンピュータに、
前記ユーザの脳波信号と前記コンピュータの処理内容とを対応付けて記憶する手順と、
前記ユーザの前頭葉に対応する前記ユーザの頭部上の位置に接する第１の電極と前記ユーザの耳の下部に接する第３の電極との電位差、および、前記ユーザの後頭葉に対応する前記ユーザの頭部上の位置に接する第２の電極と前記第３の電極との電位差に基づいて前記ユーザの脳波信号を検出する手順と、
前記記憶している脳波信号の中から、前記計測した脳波信号の特性と同様の特性を有する脳波信号を抽出し、該抽出した脳波信号に対応して記憶している処理内容を実行する手順と、を実行させるプログラム。
【発明の詳細な説明】
【技術分野】
【０００１】
本発明は、ユーザの脳波信号を検出して動作する情報処理装置とその制御方法、および、プログラムに関する。
【背景技術】
【０００２】
近年、ユーザの体に装着された状態で使用されるウェアラブルな情報処理装置の研究開発が盛んに行われている。そのような情報処理装置の例として、例えば、ユーザの頭部に装着された状態でユーザに映像を呈示するヘッドマウントディスプレイ（Head Mounted Display; HMD）などがある。HMDには、ユーザが装置本体を持たないハンズフリー状態で映像を呈示することができるという利点がある。
【０００３】
ユーザが情報処理装置に入力を行う方法としては種々の方法がある。例えば、情報処理装置に設けられた物理的なキーボタンを押下して入力を行う方法、情報処理装置の表示部上にカーソルを表示し、マウスなどを用いてカーソルの移動、入力内容の指定を行うことで入力を行う方法、また、タッチパネルに指などでタッチすることで入力を行う方法などがある。しかし、キーボタンを押下する方法や、マウスなどを用いる方法では、ユーザが手を用いて操作を行う必要があり、ハンズフリー状態で映像を呈示可能であるというHMDの利点が損なわれてしまう。また、HMDにおいては、表示部はユーザの目の近傍に配置されるため、タッチパネルを用いる方法をHMDに適用することは困難である。
【０００４】
そこで、ユーザが物理的な操作を行わずに情報処理装置に入力を行うことができる入力インタフェースとして、脳波信号を利用した入力インタフェースが検討されている。
【０００５】
特許文献１（特許第４３６９２９０号公報）には、ユーザの頭頂部に複数の電極を取り付け、各電極の電位に基づいてユーザの脳波信号を検出して、ユーザが所望する選択肢を判別する技術が開示されている。
【０００６】
また、特許文献２（特開２００４−１６６５８号公報）には、ユーザの脳波信号を検出して動作する情報処理装置において、情報処理装置にコードを介して接続された複数の電極をユーザ自身が頭部に取り付けることで、脳波信号を検出する技術が開示されている。
【先行技術文献】
【特許文献】
【０００７】
【特許文献１】特許第４３６９２９０号公報
【特許文献２】特開２００４−１６６５８号公報
【発明の概要】
【発明が解決しようとする課題】
【０００８】
一般に、HMDはユーザの目に対して一定の距離に保たれるように、眼鏡に類似する形状のものが多い。上述したように、特許文献１に開示の技術においては、頭頂部に電極を取り付けることで脳波信号が検出される。このため、特許文献１に開示の技術をHMDに適用した場合には、上述した眼鏡に類似する形状に加えて、ユーザの頭頂部に電極を取り付けるために、オーバーヘッドタイプのヘッドホンのような構成が必要となる。そのため、HMDの形状が、ユーザの頭部のほとんどを覆う形状となってしまう。そのような形状は、装着時の見た目が悪く、また、ユーザの髪型の乱れなどを生じさせることから、使い勝手が悪いという問題がある。
【０００９】
また、特許文献２に開示の技術をHMDに適用した場合には、通常、HMDは常時装着されるものではなく、頻繁に脱着が行われるものであるため、HMDの脱着のたびに、電極の取り付け、取り外しが必要となり、使い勝手が悪いという問題がある。
【００１０】
本発明の目的は、簡易な構成でユーザの脳波信号を検出し、検出結果に応じて動作する情報処理装置とその制御方法、および、プログラムを提供することにある。
【課題を解決するための手段】
【００１１】
上記目的を達成するために本発明の情報処理装置は、
ユーザの頭部に装着される情報処理装置であって、
前記情報処理装置が前記ユーザの頭部に装着された状態で前記ユーザの前頭葉に対応する前記ユーザの頭部上の位置に接する第１の電極と、
前記情報処理装置が前記ユーザの頭部に装着された状態で前記ユーザの後頭葉に対応する前記ユーザの頭部上の位置に接する第２の電極と、
前記情報処理装置が前記ユーザの頭部に装着された状態で前記ユーザの耳の下部に接する第３の電極と、
前記ユーザの脳波信号と前記情報処理装置の処理内容とを対応付けて記憶する脳波データ記憶部と、
前記第１の電極と前記第３の電極との電位差、および、前記第２の電極と前記第３の電極との電位差に基づいて前記ユーザの脳波信号を検出し、検出結果を出力する脳波検出部と、
前記脳波データ記憶部に記憶されている脳波信号の中から、前記脳波検出部の出力に示される脳波信号と同様の特性を有する脳波信号を抽出し、該抽出した脳波信号に対応して記憶されている処理内容を実行する制御部と、を有する。
【００１２】
上記目的を達成するために本発明の情報処理装置の制御方法は、
ユーザの頭部に装着される情報処理装置の制御方法であって、
前記ユーザの脳波信号と前記情報処理装置の処理内容とを対応付けて記憶し、
前記ユーザの前頭葉に対応する前記ユーザの頭部上の位置に接する第１の電極と前記ユーザの耳の下部に接する第３の電極との電位差、および、前記ユーザの後頭葉に対応する前記ユーザの頭部上の位置に接する第２の電極と前記第３の電極との電位差に基づいて前記ユーザの脳波信号を検出し、
前記記憶している脳波信号の中から、前記検出した脳波信号と同様の特性を有する脳波信号を抽出し、該抽出した脳波信号に対応して記憶している処理内容を実行する。
【００１３】
上記目的を達成するために本発明のプログラムは、
コンピュータに、
前記ユーザの脳波信号と前記コンピュータの処理内容とを対応付けて記憶する手順と、
前記ユーザの前頭葉に対応する前記ユーザの頭部上の位置に接する第１の電極と前記ユーザの耳の下部に接する第３の電極との電位差、および、前記ユーザの後頭葉に対応する前記ユーザの頭部上の位置に接する第２の電極と前記第３の電極との電位差に基づいて前記ユーザの脳波信号を検出する手順と、
前記記憶している脳波信号の中から、前記計測した脳波信号の特性と同様の特性を有する脳波信号を抽出し、該抽出した脳波信号に対応して記憶している処理内容を実行する手順と、を実行させる。
【発明の効果】
【００１４】
本発明によれば、ユーザの頭部に装着される情報処理装置において、簡易な構成でユーザの脳波信号を検出し、検出結果に応じて情報処理装置を動作させることができる。
【図面の簡単な説明】
【００１５】
【図１】本発明の一実施形態の情報処理装置の要部構成を示すブロック図である。
【図２】図１に示す情報処理装置の外観を示す図である。
【図３】図２に示す情報処理装置がユーザの頭部に装着された状態を示す図である。
【図４】図２に示す情報処理装置の電源投入時の動作を示すフローチャートである。
【図５】図２に示す情報処理装置の動作の一例を示すフローチャートである。
【図６】図２に示す情報処理装置の動作の他の一例を示すフローチャートである。
【図７】図２に示す情報処理装置の脳波データの補正時の動作を示すフローチャートである。
【発明を実施するための形態】
【００１６】
以下に、本発明を実施するための形態について図面を参照して説明する。
【００１７】
本発明に係る情報処理装置は、ユーザの頭部に装着されて使用されるものである。
【００１８】
図１は、本発明の一実施形態の情報処理装置１０の要部構成を示すブロック図である。      
【００１９】
図１に示す情報処理装置１０は、前頭葉電極１１と、後頭葉電極１２と、グランド電極１３と、脳波検出部１４と、脳波データ記憶部１５と、制御部１６と、を有する。前頭葉電極１１は第１の電極の一例であり、後頭葉電極１２は第２の電極の一例であり、グランド電極１３は第３の電極の一例である。
【００２０】
前頭葉電極１１は、情報処理装置１０がユーザの頭部に装着された状態で、ユーザの前頭葉に対応するユーザの頭部上の位置に接するように配置されている。
【００２１】
後頭葉電極１２は、情報処理装置１０がユーザの頭部に装着された状態で、ユーザの後頭葉に対応するユーザの頭部上の位置に接するように配置されている。
【００２２】
グランド電極１３は、情報処理装置１０がユーザの頭部に装着された状態で、ユーザの耳の下部に接するように配置されている。
【００２３】
脳波検出部１４は、前頭葉電極１１とグランド電極１３との電位差（以下、第１の電位差と称することがある）、および、後頭葉電極１２とグランド電極１３との電位差（以下、第２の電位差と称することがある）を計測する。また、脳波検出部１４は、計測した第１および第２の電位差に基づいてユーザの脳波信号を検出し、検出結果である検出脳波信号を制御部１６に出力する。
【００２４】
脳波データ記憶部１５は、ユーザの脳波信号と情報処理装置１０の処理内容とを対応つけた脳波データを記憶する。
【００２５】
制御部１６は、脳波データ記憶部１５に記憶されている脳波信号の中から、脳波検出部１４から出力された検出脳波信号と同様の特性を有する脳波信号を抽出する。また、制御部１６は、抽出した脳波信号に対応して脳波データ記憶部１５に記憶されている処理内容を実行する。
【００２６】
図２は、情報処理装置１０の外観を示す図である。
【００２７】
なお、以下では、情報処理装置１０は、ユーザの頭部に装着された状態で映像をユーザに呈示するHMDである場合を例とする。
【００２８】
図２に示す情報処理装置１０は、図１においては不図示の、表示部２１と、本体筐体部２２と、表示フレーム部２３と、イヤークリップ部２４と、フレーム筐体部２５，２６と、を有する。フレーム筐体部２５は、第１のフレーム筐体部の一例であり、フレーム筐体部２６は、第２のフレーム筐体部の一例である。
【００２９】
表示部２１は、情報処理装置１０がユーザの頭部に装着された状態で、ユーザの目の近傍に配置され、図１に示す制御部１６からの表示情報の出力に応じて、その表示情報をユーザに呈示する。表示部２１としては、LCD（Liquid Crystal Display）、有機EL（organic electroluminescence）ディスプレイなどがある。また、表示部２１としては、ユーザの網膜にレーザ光を直接照射して、映像を呈示する方式のものを用いてもよい。
【００３０】
本体筐体部２２は、図１に示す脳波検出部１４、脳波データ記憶部１５、制御部１６などを格納する。
【００３１】
表示フレーム部２３は、一端が本体筐体部２２に接続され、他端が表示部２１に接続され、表示部２１を支持する。
【００３２】
イヤークリップ部２４は、本体筐体部２２に取り付けられ、ユーザの耳の付け根に掛けられることで本体筐体部２２を支持する。また、イヤークリップ部２４には、ユーザの耳の付け根に掛けられた状態で、ユーザの耳の下部に接する位置にグランド電極１３が取り付けられている。なお、イヤークリップ部２４は、例えば、エラストマーなどで構成され、耳の付け根に掛けられてフィットするクリップハンガー型を有しており、情報処理装置１０の位置ずれを防ぐ。
【００３３】
フレーム筐体部２５は、一端が本体筐体部２２に接続され、他端が前頭葉電極１１に接続され、前頭葉電極１１を支持する。
【００３４】
フレーム筐体部２６は、一端が本体筐体部２２に接続され、他端が後頭葉電極１２に接続され、後頭葉電極１２を支持する。なお、フレーム筐体部２５，２６は、例えば、ステンレス材などで構成される。
【００３５】
図３は、図２に示す情報処理装置１０がユーザの頭部に装着された状態を示す図である。
【００３６】
図３に示すように、イヤークリップ部２４がユーザの耳の付け根に掛けられることで情報処理装置１０がユーザの頭部に装着される。また、イヤークリップ部２４に取り付けられたグランド電極１３は、ユーザの耳の下部に接している。
【００３７】
前頭葉電極１１は、フレーム筐体部２５に支持され、ユーザの前頭葉に対応するユーザの頭部上の位置に接している。また、後頭葉電極１２は、フレーム筐体部２６に支持され、ユーザの後頭葉に対応するユーザの頭部上の位置に接している。ここで、フレーム筐体部２５，２６はそれぞれ、前頭葉電極１１および後頭葉電極１２がそれぞれユーザの頭部に確実に接するように、前頭葉電極１１および後頭用電極１２をユーザの頭部に向かって押し付ける方向に作用する力を、前頭葉電極１１、後頭用電極１２に印加する構成を有している。そのため、前頭葉電極１１および後頭葉電極１２が、所定の位置からずれないように保持される。また、フレーム筐体部２５，２６はそれぞれ、本体筐体部２２からユーザの頭部の側面に沿って延在している。そのため、情報処理装置１０の形状は、ユーザの頭頂部をまたぐ形状である必要がなくなり、装着時に見た目が悪くなったり、ユーザの髪型の乱れを生じさせたりすることを防ぐことができる。
【００３８】
本実施形態においては、特許文献１に開示されるようにユーザの頭頂部に複数の電極を取り付けて脳波信号を検出するのではなく、脳波検出部１４は、前頭葉電極１１とグランド電極１３との電位差、および、後頭葉電極１２とグランド電極１３との電位差を計測し、計測結果に基づいてユーザの脳波信号を検出する。このように、前頭葉電極１１とグランド電極１３との電位差、および、後頭葉電極１２とグランド電極１３との電位差を計測するという簡易な構成であっても、ユーザが想起した内容に応じた脳波信号を検出することができる。
【００３９】
次に、本実施形態の情報処理装置１０の動作について説明する。
【００４０】
図４は、情報処理装置１０の電源投入時の動作を示すフローチャートである。
【００４１】
ユーザは、情報処理装置１０を装着したのち、情報処理装置１０の電源を投入する。
【００４２】
電源が投入されると、脳波検出部１４は、起動を開始する（ステップＳ４０１）。
【００４３】
まず、脳波検出部１４は、第１の電位差である前頭葉電極１１とグランド電極１３との電位差を計測する（ステップＳ４０２）。
【００４４】
次に、脳波検出部１４は、第２の電位差である後頭葉電極１２とグランド電極１３との電位差を計測する（ステップＳ４０３）。
【００４５】
第１および第２の電位差の計測が完了すると、脳波検出部１４は、正常に起動されたものと確認する（ステップＳ４０４）。
【００４６】
なお、脳波検出部１４は、ステップＳ４０２，Ｓ４０３において、第１あるいは第２の電位差を計測できない場合には、例えば、所定回数だけ計測を繰り返す。計測を繰り返すうちに、計測に成功した場合には、脳波検出部１４は、次のステップに進む。一方、所定回数だけ計測を繰り返しても計測できない場合には、情報処理装置１０が適切に装着されていない、あるいは、故障している可能性などが考えられるので、脳波検出部１４は、その旨を制御部１６に通知する。制御部１６は、脳波検出部１４からの通知を受けて、情報処理装置１０が適切に装着されていない、あるいは、故障している可能性があることなどを示すメッセージを表示部２１に表示させる。
【００４７】
なお、第１あるいは第２の電位差が計測できない場合の上述した処理はあくまでも一例であり、本発明とは直接関係しないので、図４においては記載を省略している。
【００４８】
図５は、情報処理装置１０の動作の一例を示すフローチャートである。
【００４９】
図５においては、脳波データ記憶部１５は、所望する情報処理装置１０の処理内容をユーザが想起した際に現れる脳波信号である希望想起脳波信号と、その処理内容とを対応付けて、脳波データとして記憶しているものとする。ここで、情報処理装置１０の処理内容とは、例えば、表示部２１にカーソルが表示されている場合に、カーソルを所定の方向に移動させる、カーソルで指示される項目を選択するなどの処理内容である。なお、希望想起脳波信号は、複数の被験者の脳波信号を解析するなどして、予め求めることができる。
【００５０】
脳波検出部１４は、表示部２１で所定の表示情報が表示されると、第１の電位差である前頭葉電極１１とグランド電極１３との電位差を計測する（ステップＳ５０１）。以下では、カーソルを含む表示情報が表示部２１で表示されると、脳波検出部１４は、第１の電位差を計測するものとする。なお、カーソルを含む表示情報が表示部２１で表示されているか否かは、例えば、制御部１６が脳波検出部１４に通知することができる。
【００５１】
第１の電位差を計測すると、次に、脳波検出部１４は、第２の電位差である後頭葉電極１２とグランド電極１３との電位差を計測する（ステップＳ５０２）。
【００５２】
次に、脳波検出部１４は、計測した第１および第２の電位差に基づいてユーザの脳波信号を検出し（ステップＳ５０３）、検出脳波信号を制御部１６に出力する。
【００５３】
制御部１６は、脳波データ記憶部１５に脳波データとして記憶されている脳波信号と脳波検出部１４から出力された検出脳波信号とを比較し（ステップＳ５０４）、脳波データとして記憶されている脳波信号の中から、検出脳波信号と同様の特性を有する脳波信号を抽出する。ここでは、カーソルを所定の方向に移動させるという処理内容をユーザが想起した際に現れる希望想起脳波信号の特性が、検出脳波信号と同様の特性を有していたとする。この場合、制御部１６は、その希望想起脳波信号を抽出する。
【００５４】
次に、制御部１６は、抽出した脳波信号（カーソルを所定の方向に移動させるという処理内容をユーザが想起した際に現れる希望想起脳波信号）に対応して記憶されている処理内容を読み出す（ステップ５０５）。上述したように、脳波データとして、ユーザがある処理内容を想起した際に現れる希望想起脳波信号に対応して、その処理内容が記憶されている。したがって、制御部１６は、カーソルを所定の方向に移動させる処理を実行し、処理結果を表示部２１に表示させる（ステップＳ５０６）。
【００５５】
なお、ステップＳ５０４において、検出脳波信号と同様の特性を有する脳波信号が脳波データ中にない場合には、制御部１６は、例えば、再度、所望の処理を想起する旨のメッセージなどを表示部２１に表示させるとともに、脳波検出部１４に再度、第１および第２の電位差を計測させる。なお、検出脳波信号と同様の特性を有する脳波信号が脳波データ中にない場合の上述した処理はあくまでも一例であり、本発明とは直接関係しないので、図５においては記載を省略している。
【００５６】
図５においては、所定の表示情報の表示に応じて、脳波検出部１４が第１および第２の電位差を計測する例を説明したが、これに限られるものでない。
【００５７】
図６は、情報処理装置１０の動作の他の一例を示すフローチャートである。
【００５８】
図６においては、脳波データ記憶部１５は、喜怒哀楽、快不快などの特定の感情をユーザが想起した際に現れる脳波である感情想起脳波信号と、その特定の感情に対応する情報処理装置１０の処理内容とを対応付けて、脳波データとして記憶しているものとする。ここで、特定の感情に対応する処理内容とは、例えば、その特定の感情に対応する絵文字を表示部２１に表示させるなどの処理内容である。なお、感情想起脳波信号は、複数の被験者の脳波信号を解析するなどして、予め求めることができる。
【００５９】
脳波検出部１４は、所定のタイミングで、第１の電位差である前頭葉電極１１とグランド電極１３との電位差を計測する（ステップＳ６０１）。
【００６０】
第１の電位差を計測すると、次に、脳波検出部１４は、第２の電位差である後頭葉電極１２とグランド電極１３との電位差を計測する（ステップＳ６０２）。
【００６１】
次に、脳波検出部１４は、計測した第１および第２の電位差に基づいてユーザの脳波信号を検出し（ステップＳ６０３）、検出脳波信号を制御部１６に出力する。
【００６２】
制御部１６は、脳波データ記憶部１５に脳波データとして記憶されている脳波信号と脳波検出部１４から出力された検出脳波信号とを比較し（ステップＳ６０４）、脳波データとして記憶されている脳波信号の中から、検出脳波信号と同様の特性を有する脳波信号を抽出する。ここでは、喜びの感情をユーザが想起した際に現れる感情想起脳波信号の特性が、検出脳波信号と同様の特性を有していたとする。この場合、制御部１６は、その感情想起脳波信号を抽出する。
【００６３】
次に、制御部１６は、抽出した脳波信号（喜びの感情をユーザが想起した際に現れる感情想起脳波信号）に対応して記憶されている情報処理装置１０の処理内容を読み出す（ステップ６０５）。上述したように、脳波データとして、特定の感情をユーザが想起した際に現れる脳波である感情想起脳波信号に対応して、その特定の感情に対応する絵文字を表示部２１に表示させるという処理内容が記憶されている。したがて、制御部１６は、喜びの感情に対応する絵文字を表示部２１に表示させる（ステップＳ６０６）。
【００６４】
なお、ステップＳ６０４において、検出脳波信号と同様の特性を有する脳波信号が脳波データ中にない場合には、制御部１６は、例えば、再度、所望の処理を想起する旨のメッセージなどを表示部２１に表示させるとともに、脳波検出部１４に再度、第１および第２の電位差を計測させる。なお、検出脳波信号と同様の特性を有する脳波信号が脳波データ中にない場合の上述した処理はあくまでも一例であり、本発明とは直接関係しないので、図６においては記載を省略している。
【００６５】
上述したように、希望想起脳波信号や感情想起脳波信号は、複数の被験者の脳波を解析することで、予め求めることができる。しかし、同じ内容を想起した場合にも、現れる脳波信号には個人差があることがある。そのため、予め記憶されている脳波データをそのまま用いると、ユーザが想起した内容に応じた情報処理装置１０の処理内容の検出精度が悪くなることがある。
【００６６】
そこで、情報処理装置１０は、脳波データ記憶部１５に記憶されている脳波信号を補正する。
【００６７】
図７は、情報処理装置１０の脳波データ記憶部１５に記憶されている脳波信号の補正時の動作を示すフローチャートである。
【００６８】
制御部１６は、上述したように、脳波データ記憶部１５に記憶されている脳波信号の中から、脳波検出部１４から出力された検出脳波信号と同様の特性を有する脳波信号を抽出する（ステップＳ７０１）。
【００６９】
次に、制御部１６は、検出脳波信号に応じて抽出した脳波信号を補正する（ステップＳ７０２）。
【００７０】
脳波信号の補正方法としては、例えば、検出脳波信号と抽出した脳波信号とを足し合わせた後に、平均化して補正する方法がある。制御部１６は、例えば、検出した脳波信号と脳波データとして記憶されている脳波信号との類似度を算出し、算出した類似度が、所定の閾値以上であり、かつ、最も高い脳波信号を抽出する。ここで、類似度が最も高い脳波信号であっても、検出脳波信号と差分があることがある。この差分は、脳波信号の個人差に起因するものである可能性がある。そこで、検出脳波信号と類似度が最も高いとして抽出した脳波信号とを足し合わせて平均化することで、脳波信号の個人差に起因する差分の影響を低減することができる。
【００７１】
次に、制御部１６は、補正後の脳波信号を抽出した脳波信号と置換して脳波データ記憶部１５に記憶させる（ステップＳ７０３）。
【００７２】
このように本実施形態によれば、情報処理装置１０は、ユーザの頭部に装着された状態で、前頭葉に対応するユーザの頭部上の位置に接する前頭葉電極１１と、後頭葉に対応するユーザの頭部上の位置に接する後頭葉電極１２と、耳の下部に接するグランド電極１３と、を有し、前頭葉電極１１とグランド電極１３との電位差、および、後頭葉電極１２とグランド電極１３との電位差に基づいて検出した検出脳波信号に応じた処理内容を実行する。
【００７３】
そのため、ユーザは情報処理装置１０への入力のために手を用いた操作を行う必要がなくなるため、利便性の向上を図ることができる。また、前頭葉電極１１とグランド電極１３との電位差、および、後頭葉電極１２とグランド電極１３との電位差に基づきユーザの脳波信号を検出するため、ユーザの頭部に装着される情報処理装置１０の形状を、ユーザの頭部をまたぐような形状とする必要がなく、装着時に見た目が悪くなったり、ユーザの髪型の乱れなどを生じさせたりすることがなくなり、使い勝手の向上を図ることができる。また、情報処理装置１０を装着するだけで脳波信号の検出に必要な位置に電極が配置されるので、情報処理装置１０の脱着のたびに、ユーザが電極の取り付け、取り外しを行う必要がなく、使い勝手が悪くなるのを防ぐことができる。
【００７４】
また、本実施形態によれば、情報処理装置１０は、脳波データとして記憶されている脳波信号を、検出脳波信号に応じて補正する。
【００７５】
一般に、同じ内容を想起した場合にも、現れる脳波信号の特性には個人差がある。そこで、検出脳波信号に応じて脳波データ記憶部１５に記憶されている脳波信号を補正することで、検出脳波信号とユーザの脳波信号の特性が反映された脳波信号とを比較することができ、ユーザが想起した内容に応じた処理内容の検出精度を向上させることができる。
【００７６】
なお、本実施形態においては、情報処理装置１０がHMDである場合を例として説明したがこれに限られるものではなく、情報処理装置１０は、音楽を聴いたり、通話をしたりするのに用いられる耳掛け式のヘッドセットなどであってもよい。
【００７７】
また、本発明の情報処理装置１０にて行われる方法は、コンピュータに実行させるためのプログラムに適用してもよい。また、そのプログラムを記憶媒体に格納することも可能であり、ネットワークを介して外部に提供することも可能である。
【符号の説明】
【００７８】
１０    情報処理装置
１１    前頭葉電極
１２    後頭葉電極
１３    グランド電極
１４    脳波検出部
１５    脳波データ記憶部
１６    制御部
２１    表示部
２２    本体筐体部
２３    表示フレーム部
２４    イヤークリップ部
２５，２６    フレーム筐体部
【図１】
2013122710.tif 000003
【図２】
2013122710.tif 000004
【図３】
2013122710.tif 000005
【図４】
2013122710.tif 000006
【図５】
2013122710.tif 000007
【図６】
2013122710.tif 000008
【図７】
2013122710.tif 000009